(57)【要約】【課題】騒音を抑制しつつ適切な風量で送風する。【解決手段】モータの駆動力によりシリンダ室３０ａ内で摺動するピストン本体３２と、ピストン本体３２の送風孔側に、シリンダ室３０ａ内で摺動可能に設けられたピストンヘッド３１と、ピストン本体３２の摺動方向に設けられた貫通穴を貫通して設けられ、一方の端部にピストン本体３２に係止するストッパー３６ｂを有し、他方の端部３６ｃがピストンヘッド３１に固定されたピストン貫通軸３６と、ピストン本体３２に対するピストンヘッド３１の摺動方向へのスライド動作を規制するようにピストン貫通軸３６をロックするロック位置と、ピストン貫通軸のロックを解除する解除位置との間で変位するロック機構３７とを備える。【選択図】      図２
2020138435.tif 000002
【特許請求の範囲】
【請求項１】
シリンダ室内の空気を送風孔から送風する印刷装置のエアポンプであって、
前記シリンダ室内で摺動するピストン本体と、
前記ピストン本体の前記送風孔側に、前記シリンダ室内で摺動可能に設けられたピストンヘッドと、
前記ピストン本体に対する前記ピストンヘッドの摺動方向へのスライド動作を規制するようにロックするロック位置と、ロックを解除する解除位置との間で変位するロック機構と、
を備えたことを特徴とする印刷装置のエアポンプ。
【請求項２】
前記ピストンヘッドに一端が固定されたピストン貫通軸が、前記ピストン本体に貫通して形成された貫通穴を貫通して設けられ、当該ピストン貫通軸の他方の端部に前記ピストン本体に係止する係止部が形成されており、
前記ピストンヘッドと前記ピストン本体との間には弾性体が設けられた
ことを特徴とする請求項１記載の印刷装置のエアポンプ。
【請求項３】
前記ロック機構は、
前記ロック位置に変位したとき、前記ピストンヘッドが前記ピストン本体から離間する側へスライド動作することを規制する
ことを特徴とする請求項１または２記載の印刷装置のエアポンプ。
【発明の詳細な説明】
【技術分野】
【０００１】
本発明は、騒音を抑制しつつ適切な風量で送風する印刷装置のエアポンプに関する。
【背景技術】
【０００２】
従来、回転するドラムに印刷圧を作用させながら印刷用紙を搬送して画像転写を行う孔版印刷装置がよく知られている。この孔版印刷装置では、ドラムから印刷用紙を引き剥がすための分離風を発生させるエアポンプが備えられている。
【０００３】
この種のエアポンプを搭載した従来の孔版印刷装置としては、特許文献１に記載されている。特許文献１に記載の孔版印刷装置は、ドラムモータの駆動力によって回転し外周面に孔版原紙が装着されたドラムと、回転するドラムとの間に給紙される印刷用紙に印刷圧を作用させる押圧ロールと、ドラムと押圧ロールとの間に印刷用紙を給紙する一対の給紙ロールと、ドラムと押圧ロールとの間で押圧されながら搬送されてくる印刷用紙を排紙する排紙ベルト手段と、ドラムの排紙側に設けられ、印刷用紙の搬送先端をドラムより分離する分離爪と、この分離爪の先端よりドラムに吹き付ける分離風を発生させる分離ポンプ（エアポンプ）とを備えている。
【０００４】
そして、ドラムと押圧ロールとの間で押圧されることにより印刷された印刷用紙が排紙ベルト手段により排紙されるとき、分離する分離爪と、この分離爪の先端よりドラムに吹き付ける分離風を発生させる分離ポンプ（エアポンプ）は、分離風を発生させて分離爪の先端よりドラムに吹き付けることにより、ドラムから印刷用紙を分離させる。
【先行技術文献】
【特許文献】
【０００５】
【特許文献１】特開２００４−２３０７５３号公報
【発明の概要】
【発明が解決しようとする課題】
【０００６】
上述したように、エアポンプは分離風を発生させて分離爪の先端よりドラムに吹き付けることにより印刷用紙を分離する。そのため、特にドラムの回転速度が遅い場合、ドラムに付着した印刷用紙を分離し難くなるので、分離風を強風にする必要がある。
【０００７】
その一方、分離風を強風にすると、分離風の吹き付けによる騒音が大きくなり、ユーザにとってはこの騒音がストレスとなっていた。
【０００８】
本発明は、上記課題に鑑みてなされたものであり、騒音を抑制しつつ適切な風量で送風する印刷装置のエアポンプを提供することを目的とする。
【課題を解決するための手段】
【０００９】
上記目的を達成するため、本発明に係る印刷装置のエアポンプの特徴は、
シリンダ室内の空気を送風孔から送風する印刷装置のエアポンプであって、
前記シリンダ室内で摺動するピストン本体と、
前記ピストン本体の前記送風孔側に、前記シリンダ室内で摺動可能に設けられたピストンヘッドと、
前記ピストン本体に対する前記ピストンヘッドの摺動方向へのスライド動作を規制するようにロックするロック位置と、ロックを解除する解除位置との間で変位するロック機構と、を備えたことにある。
【発明の効果】
【００１０】
本発明に係る印刷装置のエアポンプによれば、騒音を抑制しつつドラムに付着した印刷用紙を分離することができる。
【図面の簡単な説明】
【００１１】
【図１】本発明の一実施形態である孔版印刷装置の概要を示した図である。
【図２】本発明の一実施形態である孔版印刷装置が備えるエアポンプの断面図である。
【図３】本発明の一実施形態である孔版印刷装置が備えるエアポンプの側面図である。
【図４】本発明の一実施形態である孔版印刷装置が備えるロック部材とピストン貫通軸のロックギア部とを拡大した拡大側面図である。
【図５】本発明の一実施形態である孔版印刷装置が備えるロック機構がロック位置にある場合におけるエアポンプの動作を示している。
【図６】本発明の一実施形態である孔版印刷装置が備えるロック機構が解除位置にある場合におけるエアポンプの動作を示している。
【発明を実施するための形態】
【００１２】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１３】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１４】
［本実施形態の構成］
図１は、本発明の一実施形態である孔版印刷装置の概要を示した図である。
【００１５】
図１に示すように、孔版印刷装置１は、画像データに基づいて穿孔製版された孔版原紙１０をドラム１１に装着し、回転するドラム１１に押圧しながら印刷用紙１２を搬送して画像を印刷用紙１２に転写する印刷部２と、この印刷部２に印刷用紙１２を給紙する給紙部３と、印刷部２で印刷された印刷用紙１２を排紙する排紙部４とを備えている。
【００１６】
印刷部２は、その外周部分が多孔構造によるインク通過性の部材で構成されたドラム１１を有し、このドラム１１の少なくとも外周部分がドラムモータ１３の駆動力によって図１の矢印Ａ方向に回転される。このドラム１１の外周面には原紙クランプ部１４が突設され、この原紙クランプ部１４によって先端がクランプされることによって孔版原紙１０が巻き付け装着される。
【００１７】
ドラム１１の内部にはスキージロール１５とこのスキージロール１５の近接位置にドクターロール１６とその上方位置にインク供給部１７が配置され、インク供給部１７よりスキージロール１５とドクターロール１６とで囲まれた外周スペースにインク１８が滴下され、滴下されたインク１８がここに溜められる。回転するスキージロール１５の外周に付着するインク１８がドクターロール１６との隙間を通ることでスキージロール１５には所定膜厚のインク１８のみが付着され、この所定膜厚のインク１８がドラム１１の内周面に供給される。
【００１８】
また、スキージロール１５の対向位置で、且つ、ドラム１１の外側位置にはプレスロール１９が設けられ、このプレスロール１９はソレノイド装置、プレスカム及びプレスレバー等（図示せず）の作用によってドラム１１の外周面に押圧する押圧位置と、ドラム１１の外周面から離間する待機位置との間で変位可能に構成されている。プレスロール１９は、一対の給紙ロール２０，２０からの給紙動作に同期して待機位置から押圧位置に変位され、印刷用紙１２がドラム１１の下部を通過する際のみ押圧位置に位置され、それ以外の時には待機位置に位置される。
【００１９】
給紙部３は、給紙台（図示せず）からの搬送経路の最下流に一対の給紙ロール２０，２０を有する。この一対の給紙ロール２０，２０は、ドラム１１の回転位置に同期して印刷用紙１２をドラム１１とプレスロール１９との間に給紙する。
【００２０】
排紙部４は、印刷処理された印刷用紙１２をドラム１１から分離する分離爪２１と、この分離爪２１の先端に配置され、分離風を瞬間的に吹き付ける送風ノズル２２と、ドラム１１から離間された印刷用紙１２が搬送される搬送ベルト部２３と、この搬送ベルト部２３より排紙される印刷用紙１２が載置される排紙台（図示せず）とを有する。送風ノズル２２は、送風パイプ２４を介してエアポンプ２５に接続され、エアポンプ２５はモータであるドラムモータ１３の駆動力によって分離風を発生する。
【００２１】
この分離風は、送風ノズル２２からドラム１１と印刷用紙１２との間に吹き付けられるので、単位時間当たりの風量が多い場合（強風の場合）、分離風の吹き付けによる騒音が大きくなり、ユーザにとってはこの騒音がストレスとなる。
【００２２】
また、ドラム１１の回転数が速いときにはドラム１１に付着した印刷用紙１２を分離し易いが、ドラム１１の回転数が遅いときにはドラム１１に付着した印刷用紙１２を分離し難いため、相当の風量で送風する必要がある。
【００２３】
そこで、本発明の一実施形態である孔版印刷装置が備えるエアポンプ２５では、送風する風量を調整可能とする機構を有している。
【００２４】
図２は、本発明の一実施形態である孔版印刷装置が備えるエアポンプ２５の断面図であり、図３は、エアポンプ２５の側面図である。
【００２５】
エアポンプ２５は、図２に示すように、シリンダ３０と、このシリンダ３０のシリンダ室３０ａ内を摺動するピストンヘッド３１と、ピストン本体３２と、ロック機構３７とを備える。
【００２６】
シリンダ３０には送風パイプ２４が接続される送風孔３４が設けられている。
【００２７】
ピストン本体３２は、固定部材３２ａを有しており、この固定部材３２ａには、ピストンロッド３３の一方の端部が、固定ピン３２ｂにより連結されている。ピストンロッド３３の他方の端部は、ドラムモータ１３の駆動力で回転する円盤カム３５に連結されている。
【００２８】
そして、ドラムモータ１３の駆動力で円盤カム３５が回転することにより、固定部材３２ａと共にピストン本体３２がシリンダ室３０ａを摺動する。
【００２９】
また、ピストン本体３２には、ピストン本体３２の摺動方向に貫通穴３２ｃが設けられている。
【００３０】
ピストンヘッド３１は、シリンダ室３０ａ内で摺動可能となるようにピストン本体３２の送風孔３４側に設けられている。また、ピストン貫通軸３６が貫通穴３２ｃを貫通して設けられている。ピストン貫通軸３６の一方の端部には、ストッパー３６ｂが設けられている。ピストン貫通軸３６の他方の端部３６ｃはピストンヘッド３１に固定されている。
【００３１】
ピストン貫通軸３６は、ピストン本体３２に対してピストンヘッド３１が離間する方向へのスライド動作を規制するためのロックギア部３６ａを有している。このピストン貫通軸３６のロックギア部３６ａも、前記ロック機構３７の一部を構成している。
【００３２】
ロック機構３７は、図３に示すように、ロック部材３７ａと、ロック部材３７ａをＺ１−Ｚ２方向に変位させるソレノイド３７ｂと、ロック部材３７ａとソレノイド３７ｂとを連結させるリンク機構３７ｃと、ソレノイド３７ｂが無負荷状態のときに可動鉄芯をＺ２方向に移動させるためのバネ３７ｄとを備えている。
【００３３】
ソレノイド３７ｂに電圧が印加されると、ソレノイド３７ｂの可動鉄芯がリンク機構３７ｃの端部を力点としてＺ１方向に押し下げる。これによりリンク機構３７ｃの中心を支点としてロック部材３７ａをＺ２方向に引き上げる。このとき、ロック部材３７ａの先端がロックギア部３６ａから離間する。
【００３４】
このように、ロック部材３７ａは、Ｚ２方向に変位してロック部材３７ａの先端がロックギア部３６ａから離間すると、ピストン貫通軸３６のロックが解除される。このピストン本体３２に対するピストンヘッド３１のスライド動作の規制を解除する位置を解除位置という。
【００３５】
一方、ソレノイド３７ｂへの電圧の印加が停止されると、ソレノイド３７ｂの可動鉄芯がバネ３７ｄの付勢力により、リンク機構３７ｃの端部を力点としてＺ２方向に引き上げられる。これによりリンク機構３７ｃの中心を支点としてロック部材３７ａがＺ１方向に押し下げる。このとき、ロック部材３７ａの先端がロックギア部３６ａに噛み合う。
【００３６】
このように、ロック部材３７ａは、Ｚ１方向に変位してロック部材３７ａの先端がロックギア部３６ａに噛み合うと、ピストン本体３２に対するピストンヘッド３１のスライド動作を規制するようにピストン貫通軸３６をロックする。このピストン本体３２に対するピストンヘッド３１のスライド動作を規制する位置をロック位置という。
【００３７】
ピストン本体３２とピストンヘッド３１との間には、バネ３８ａ，３８ｂが設けられている。このバネ３８ａ，３８ｂは、ロック機構３７がロック位置に変位した場合、ロック機構３７が解除位置に変位した場合のいずれの位置にある場合であっても、ピストンヘッド３１を摺動させるタイミングを一致させるために設けられている。詳細は後述する。
【００３８】
図４は、ロック部材３７ａとピストン貫通軸３６のロックギア部３６ａとを拡大した拡大側面図である。
【００３９】
図４に示すように、ロック部材３７ａは、複数のロック歯を有しており、複数のロック歯は、Ｚ１―Ｚ２方向に沿って形成された垂直面３７ａ１と、Ｚ１―Ｚ２方向に対して傾斜して形成された傾斜面３７ａ２とを備えている。
【００４０】
また、ピストン貫通軸３６のロックギア部３６ａも同様に、複数のロック歯を有しており、複数のロック歯は、Ｚ１―Ｚ２方向に沿って形成された垂直面３６ａ１と、Ｚ１―Ｚ２方向に対して傾斜して形成された傾斜面３６ａ２とを備えている。
【００４１】
このように、ロック部材３７ａに、Ｘ２側に傾斜面を有しＸ１側に垂直面を有するロック歯を備えており、ロックギア部３６ａに、Ｘ１側に傾斜面を有しＸ２側に垂直面を有するロック歯を備えている。そのため、ロック部材３７ａの先端がロックギア部３６ａに噛み合ったとき、垂直面３６ａ１と垂直面３７ａ１とが接触しているので、ピストン貫通軸３６はＸ２方向へのスライド動作が規制される。
【００４２】
その一方、ロック部材３７ａの先端がロックギア部３６ａに噛み合ったとき、傾斜面３６ａ２と傾斜面３７ａ２とが接触しているが、互いに接触面が傾斜しているので傾斜面の接触による抵抗があるもののピストン貫通軸３６はＸ１方向へのスライド動作が可能となっている。
【００４３】
［本実施形態の作用］
図５，６は、本発明の一実施形態である孔版印刷装置が備えるエアポンプの動作を示した図である。図５は、ロック機構３７がロック位置にある場合におけるエアポンプの動作を示しており、図６は、ロック機構３７が解除位置にある場合におけるエアポンプの動作を示している。
【００４４】
ロック機構３７がロック位置にある場合、図５（ａ）に示すように、ピストンヘッド３１が上死点に位置しているとき、シリンダ室３０ａ内に空気は残っていない。
【００４５】
そして、円盤カム３５がＢ方向に回転駆動することにより、図５（ｂ）に示すように、ピストン本体３２と共にピストンヘッド３１がシリンダ室３０ａをＸ１方向に摺動する。
【００４６】
図５（ｃ）に示すように、ピストンヘッド３１が下死点に達すると、シリンダ室３０ａ内の体積は最大となる。
【００４７】
このときのシリンダ室３０ａ内の体積をＶ１とすると、体積Ｖ１は、以下の（数式１）で表すことができる。
【００４８】
Ｖ１＝Ｌ１×Ｓ  ・・・（数式１）
ここで、Ｌ１は、ピストンヘッド３１が下死点に達したときのＸ１−Ｘ２方向におけるピストンヘッド３１とシリンダ室３０ａ内壁との間の距離であり、ＳはＺ１−Ｚ２方向の切断断面におけるシリンダ室３０ａ内の断面積である。
【００４９】
さらに円盤カム３５がＢ方向に回転駆動することにより、図５（ｄ）のように、ピストンヘッド３１と共にピストン本体３２がシリンダ室３０ａをＸ２方向に摺動する。これにより、シリンダ室３０ａ内の空気が送風孔３４から送風される。
【００５０】
このように、ロック機構３７がロック位置にある場合、ピストンヘッド３１がシリンダ室３０ａを往復移動することにより、１サイクルでＶ１だけ空気を送風孔３４から送風することができる。
【００５１】
一方、ロック機構３７が解除位置にある場合には、ロック機構３７がロック位置にある場合と比較して、送風孔３４から送風する空気量を少なくすることができる。
【００５２】
図６（ａ）に示すように、ピストンヘッド３１が上死点に位置しているとき、シリンダ室３０ａ内に空気は残っていない。
【００５３】
そして、円盤カム３５がＢ方向に回転駆動することにより、図６（ｂ）に示すように、ピストン本体３２がシリンダ室３０ａをＸ１方向に摺動し始める。このとき、ロック機構３７は解除位置にあるので、ピストンヘッド３１は摺動しない。その後、ピストン貫通軸３６のストッパー３６ｂがピストン本体３２に係止すると、ピストン本体３２と共にピストンヘッド３１がシリンダ室３０ａをＸ１方向に摺動する。
【００５４】
図６（ｃ）に示すように、ピストンヘッド３１が下死点に達すると、シリンダ室３０ａ内の体積は最大となる。
【００５５】
このときのシリンダ室３０ａ内の体積をＶ２とすると、体積Ｖ２は、以下の（数式２）で表すことができる。
【００５６】
Ｖ２＝Ｌ２×Ｓ  ・・・（数式２）
ここで、Ｌ２は、ピストンヘッド３１が下死点に達したときのＸ１−Ｘ２方向におけるピストンヘッド３１とシリンダ室３０ａ内壁との間の距離であり、ＳはＺ１−Ｚ２方向の切断断面におけるシリンダ室３０ａ内の断面積である。
【００５７】
さらに円盤カム３５がＢ方向に回転駆動することにより、図６（ｄ）のように、ピストンヘッド３１と共にピストン本体３２がシリンダ室３０ａをＸ２方向に摺動する。これにより、シリンダ室３０ａ内の空気が送風孔３４から送風される。このとき、バネ３８ａ，３８ｂの付勢力により、ストッパー３６ｂがピストン本体３２に係止した状態で、ピストンヘッド３１がＸ２方向に摺動する。
【００５８】
そして、ピストンヘッド３１がシリンダ室３０ａの内壁面まで到達すると、バネ３８ａ，３８ｂの付勢力よりドラムモータ１３の駆動力が勝り、ピストン本体３２がシリンダ室３０ａ内でＸ２方向に摺動し、図６（ａ）の状態に戻る。
【００５９】
このように、ロック機構３７が解除位置にある場合、ピストンヘッド３１がシリンダ室３０ａを往復移動することにより、１サイクルでＶ２だけ空気を送風孔３４から送風することができる。
【００６０】
このように、ロック機構３７の位置（ロック位置または解除位置）により、Ｘ１−Ｘ２方向におけるピストンヘッド３１の下死点での位置が異なるので、その分送風する風量が異なる。すなわち、ロック機構３７がロック位置にある場合における１サイクル当たりの風量である体積Ｖ１は、ロック機構３７が解除位置にある場合における１サイクル当たりの風量である体積Ｖ２より大きくなる。
【００６１】
そこで、例えば、ドラム１１の回転数が速いとき（高速印刷時）には、ドラム１１に付着した印刷用紙１２を分離し易いため、ロック機構３７を解除位置とすることにより、分離風の単位時間当たりの風量を低減し、発生する騒音を抑制する。
【００６２】
その一方、ドラム１１の回転数が遅いとき（低速印刷時）には、ドラム１１に付着した印刷用紙１２を分離し難いため、ロック機構３７をロック位置とすることにより、分離風の単位時間当たりの風量を増加させ、ドラム１１に付着した印刷用紙１２を確実に分離させる。
【００６３】
これにより、騒音を抑制しつつドラムに付着した印刷用紙を分離することができる。
【００６４】
また、ピストン本体３２とピストンヘッド３１との間に、バネ３８ａ，３８ｂが設けられているので、ロック機構３７がロック位置に変位した場合、ロック機構３７が解除位置に変位した場合のいずれの位置にある場合であっても、ピストンヘッド３１を摺動させるタイミング（送風開始タイミング）を一致させることができる。
【００６５】
具体的には、上述したように、バネ３８ａ，３８ｂの付勢力により、ストッパー３６ｂがピストン本体３２に接触した状態(図６(c)の状態)で、ピストンヘッド３１がＸ２方向に摺動し、その後、ピストンヘッド３１がシリンダ室３０ａの内壁面まで到達すると、バネ３８ａ，３８ｂの付勢力よりドラムモータ１３の駆動力が勝り、ピストン本体３２がシリンダ室３０ａ内でＸ２方向に摺動する。これにより、まず、バネ３８ａ，３８ｂの付勢力により送風孔３４から空気を送風することができるので、ピストンヘッド３１を摺動させるタイミングを一致させることができる。
【００６６】
なお、図６の構成においてバネ３８ａ，３８ｂが除去された場合には、下死点（図６（ｃ））におけるピストンヘッド３１とピストン本体３２との位置関係はバネ３８ａ，３８ｂがある場合と同じだが、下死点から上死点に向かってクランクが回転する際、ピストン本体３２がX２方向に向かって摺動を始めても、ピストンヘッド３１は移動を開始せず、ピストン本体３２がピストンヘッド３１に当接する位置まで移動したところから、ピストンヘッド３１はピストン本体３２とともにX2方向に摺動を開始する。よって、バネ３８ａ，３８ｂがない場合には、ロック機構３７がロック位置に変位した場合と、ロック機構３７が解除位置に変位した場合とで、ピストンヘッド３１を摺動させるタイミング（送風開始タイミング）が異なることになる。このため、タイミング調整をするためにクランクを駆動するモータを、印刷機の駆動用モータとは別のモータにすることが必要になり、コストの上昇を避けられない。
【００６７】
なお、弾性体の一つとしてバネ３８ａ，３８ｂを設けたが、弾性体は、バネに限らずゴムなど弾性力を有するものであればどのようなものでも適用できる。さらに、バネ３８ａ，３８ｂは必ずしも設ける必要はない。バネ３８ａ，３８ｂを設けない場合、送風ノズル２２がドラム１１と印刷用紙１２との間に空気を吹き付ける位置まで到達するタイミングと、ピストンヘッド３１を摺動させるタイミングとを一致させるように、タイミング制御すればよい。
【００６８】
また、上述したように、ロック機構３７がロック位置に変位した場合、ピストン貫通軸３６はＸ２方向へのスライド動作が規制され、Ｘ１方向へは傾斜面の接触による抵抗があるもののスライド動作が可能となっている。そのため、ロック機構３７が解除位置からロック位置に変位すると、ピストン本体３２とピストンヘッド３１とがシリンダ室３０ａ内のどの位置にあったとしても、円盤カム３５の回転駆動により、ピストンヘッド３１が下死点から上死点へ移動する間にピストン貫通軸３６がＸ１方向にスライド移動する。これにより、ピストン本体３２とピストンヘッド３１との位置にかかわらず、ロック機構３７を任意のタイミングで解除位置からロック位置に変位させることができる。
【００６９】
なお、本発明の一実施形態では、孔版印刷装置１に適用されたエアポンプ２５を例に挙げて説明したが、これに限らず、印刷物を乾燥するために空気を送風するポンプを有するインクジェット印刷装置など印刷方式は問わずどのような印刷装置でも適用可能である。
【００７０】
（付記）
本出願は、以下の発明を開示する。
【００７１】
（付記１）
シリンダ室内の空気を送風孔から送風する印刷装置のエアポンプであって、
前記シリンダ室内で摺動するピストン本体と、
前記ピストン本体の前記送風孔側に、前記シリンダ室内で摺動可能に設けられたピストンヘッドと、
前記ピストン本体に対する前記ピストンヘッドの摺動方向へのスライド動作を規制するようにロックするロック位置と、ロックを解除する解除位置との間で変位するロック機構と、
を備えたことを特徴とする印刷装置のエアポンプ。
【００７２】
これにより、送風孔から送風する風量を切り替えることができるので、騒音を抑制しつつ適切な風量で送風することができる。
【００７３】
例えば、孔版印刷装置にエアポンプを適用した場合、ドラムの回転数が速いとき（高速印刷時）には、ドラムに付着した印刷用紙を分離し易いため、ロック機構を解除位置とすることにより、分離風の単位時間当たりの風量を低減し、発生する騒音を抑制する。
【００７４】
その一方、ドラムの回転数が遅いとき（低速印刷時）には、ドラムに付着した印刷用紙を分離し難いため、ロック機構をロック位置とすることにより、分離風の単位時間当たりの風量を増加させ、確実にドラムに付着した印刷用紙を分離させる。
【００７５】
そのため、騒音を抑制しつつドラムに付着した印刷用紙を分離することができる。
【００７６】
（付記２）
前記ピストンヘッドに一端が固定されたピストン貫通軸が、前記ピストン本体に貫通して形成された貫通穴を貫通して設けられ、当該ピストン貫通軸の他方の端部に前記ピストン本体に係止する係止部が形成されており、
前記ピストンヘッドと前記ピストン本体との間には弾性体が設けられた
ことを特徴とする付記１記載の印刷装置のエアポンプ。
【００７７】
これにより、ピストンヘッドが、下死点から上死点まで摺動する際、バネの付勢力により送風孔から空気を送風することができるので、ロック機構が解除位置にある場合とロック位置にある場合についてピストンヘッドを摺動させるタイミングを一致させることができる。
【００７８】
（付記３）
前記ロック機構は、
前記ロック位置に変位したとき、前記ピストンヘッドが前記ピストン本体から離間する側へスライド動作することを規制する
ことを特徴とする付記１または付記２記載の印刷装置のエアポンプ。
【００７９】
これにより、ロック機構が解除位置からロック位置に変位すると、ピストン本体とピストンヘッドとがシリンダ室内のどの位置にあったとしても、ピストンヘッドが下死点から上死点へ移動する間にピストン貫通軸がピストン本体側へスライド移動する。そのため、ロック機構をロック位置に変異させるタイミングがいかなるタイミングであっても、ピントンを駆動するクランクが１回転する間にピストン本体とピストンヘッドのとの位置関係は最も近づいた所定位置に固定され、ロック機構をロック位置に変異させるタイミングを任意のタイミングとすることができる。
【符号の説明】
【００８０】
１  孔版印刷装置
２  印刷部
３  給紙部
４  排紙部
１０  孔版原紙
１１  ドラム
１２  印刷用紙
１３  ドラムモータ
１９  プレスロール
２１  分離爪
２２  送風ノズル
２３  搬送ベルト部
２４  送風パイプ
２５  エアポンプ
３０  シリンダ
３０ａ  シリンダ室
３１  ピストンヘッド
３２  ピストン本体
３２ａ  固定部材
３２ｂ  固定ピン
３２ｃ  貫通穴
３３  ピストンロッド
３４  送風孔
３５  円盤カム
３６  ピストン貫通軸
３６ａ  ロックギア部
３６ａ１  垂直面
３６ａ２  傾斜面
３６ｂ  ストッパー（係止部）
３６ｃ  端部
３７  ロック機構
３７ａ  ロック部材
３７ａ１  垂直面
３７ａ２  傾斜面
３７ｂ  ソレノイド
３７ｃ  リンク機構
３７ｄ  バネ
３８ａ，３８ｂ  バネ
【図１】
2020138435.tif 000003
【図２】
2020138435.tif 000004
【図３】
2020138435.tif 000005
【図４】
2020138435.tif 000006
【図５】
2020138435.tif 000007
【図６】
2020138435.tif 000008